(57)【特許請求の範囲】
【請求項１】
前方側に弯曲突状のレンズと、該レンズを保持するフレームとを備え、フレームの左右両端部にテンプルが装着されたゴーグルであって、前記テンプルは前記フレームの両端部内側面に縦軸心回りに回動可能に装着され、かつ対向内方に折畳んだ際にテンプルの装着端部がフレーム両端後面を結ぶ面から内側に位置するようにし、
テンプルの後端部に、柔軟性材料からなる滑り止め部材が後方突出状に設けられ、テンプルをフレームに対して折畳んだ際に、テンプル及び滑り止め部材が、フレームの左右両端部間内に納まるように構成され、
前記テンプルの後端部に、前記滑り止め部材が、テンプルの前後方向に摺動可能に装着されていることを特徴とするゴーグル。
【請求項２】
前記テンプルの前後方向中間部分に弾性を有する可撓部を設けたことを特徴とする請求項１記載のゴーグル。
【請求項３】
前記テンプルの装着端部対向内側面と顔面との間に排気空間を設けたことを特徴とする請求項１又は２記載のゴーグル。
【請求項４】
前記フレームは剛性前枠と該前枠に着脱可能に装着される柔軟性後枠とからなり、前記剛性前枠の左右両端部内側面に、柔軟性後枠と干渉せずかつテンプル又はベルトコネクタを縦軸心回りに可動させうる対向内方が開かれたカギ状引掛係合部を設け、テンプル又はベルトコネクタの装着端部に前記係合部に回動可能に引掛けうる縦軸部を設けたことを特徴とする請求項１〜３のいずれかに記載のゴーグル。
【発明の詳細な説明】
【０００１】
【産業上の利用分野】
本発明は、ゴーグルに関するものである。
【０００２】
【従来の技術】
従来、この種ゴーグルとして、一体形のレンズを前方側に弯曲突状とし、該レンズが取付けられた剛性前枠とこの前枠に結合された柔軟性後枠とからなるフレームの左右両端に、ベルトコネクタを着脱可能に装着したものが知られている（例えば特開昭６２−２００３２０号公報参照）。
【０００３】
また、前記フレームの剛性前枠の左右両端面に差込み式の係合孔を設け、該係合孔にテンプル又はベルトコネクタを着脱可能に装着したものがある。前記テンプルは、前端部において縦軸心回りに回動可能でかつ対向内方に折畳みうるようになっている。
【０００４】
【発明が解決しようとする課題】
ところで、上記従来技術におけるテンプルは、フレーム前枠への差込係合部がテンプル本体と別体で、テンプル本体の前端に枢着されているため、テンプル本体を対向内方に折畳んだとき、前記差込係合部がフレーム前枠両端から左右に突出し、コンパクトに折畳めないという難点がある。また、前記フレーム前枠の係合孔内に、テンプル抜け止め防止手段を設ける必要があるので、係合孔内部構造が複雑となり、テンプルとベルトの交換が面倒であるほか、フィット性に問題がある。
【０００５】
本発明は、上述のような実状に鑑みてなされたもので、その目的とするところは、テンプルをコンパクトに折畳むことができ、かつ折畳んだときにテンプルによりレンズに傷を付けることがなく、しかも着脱操作が簡単であり、さらにフィット性のよいテンプルを備えたゴーグルを提供するにある。
【０００６】
【課題を解決するための手段】
本発明では、上記目的を達成するために、次の技術的手段を講じた。
即ち、本発明は、前方側に弯曲突状のレンズと、該レンズを保持するフレームとを備え、フレームの左右両端部にテンプルが装着されたゴーグルであって、前記テンプルは前記フレームの両端部内側面に縦軸心回りに回動可能に装着され、かつ対向内方に折畳んだ際にテンプルの装着端部がフレーム両端後面を結ぶ面から内側に位置するようにし、
テンプルの後端部に、柔軟性材料からなる滑り止め部材が後方突出状に設けられ、テンプルをフレームに対して折畳んだ際に、テンプル及び滑り止め部材が、フレームの左右両端部間内に納まるように構成され、
前記テンプルの後端部に、前記滑り止め部材が、テンプルの前後方向に摺動可能に装着されていることを特徴としている。
【０００７】
また、本発明は、前記テンプルの前後方向中間部分に弾性を有する可撓部を設けたことを特徴としている。
そして、本発明は、前記テンプルの装着端部対向内側面と顔面との間に排気空間を設けたことを特徴としている。
さらに、本発明は、前記テンプルの後端部に柔軟性材料からなる滑り止め部材を、テンプルの前後方向に摺動可能に装着したことを特徴としている。
【０００８】
また、本発明は、前記フレームは剛性前枠と該前枠に着脱可能に装着される柔軟性後枠とからなり、前記剛性前枠の左右両端部内側面に、柔軟性後枠と干渉せずかつテンプル又はベルトコネクタを縦軸心回りに可動させうる対向内方が開かれたカギ状引掛係合部を設け、テンプル又はベルトコネクタの装着端部に前記係合部に回動可能に引掛けうる縦軸部を設けたことを特徴としている。
【０００９】
【作用】
本発明によれば、テンプルを縦軸心回りに回動させることにより、折畳み或いは張出しすることができ、折畳んだ際にテンプル前端の装着端部がフレーム両端後面より前方のフレーム内側方にコンパクトに折畳め、該テンプル装着端部がフレーム両端部から突出しないので、バッグ等に収納する際に引掛ることがなく、収納が容易である。
【００１０】
また、テンプルの中間部分が撓み易くかつ適当な弾性を有しているので、顔面へのフィット性が良く、かつ脱落する恐れはない。
さらに、テンプルの装着端部対向内側面と顔面の間から、ゴーグル内の空気が効率よく排出され、レンズの曇りを防止できる。
そして、テンプル後端部の滑り止め部材により、ゴーグルがずれ下がったり、脱落することがなく、該滑り止め部材を前後方向に摺動させて、装着者の頭部の適所に当接させて最適にフィットさせることができる。
【００１１】
さらに、本発明によれば、フレームの両端部後面に設けた引掛係合部に、テンプル又はベルトコネクタの装着端部に設けた縦軸部を引掛けるだけで、両者を回動可能に連結できる。またテンプル又はベルトの交換時には、前記縦軸部を引掛係合部から外すだけで、簡単に離脱させることができ、交換操作が容易である。
【００１２】
【実施例】
以下、本発明の実施例を図面に基づき説明する。
図面において、ゴーグル１は、一体的に形成された前方側に弯曲突状のレンズ２と、該レンズ２を囲繞保持するフレーム３と、ゴーグル１を着用者の頭部に保持するための左右一対のテンプル４又は伸縮弾性のベルト５とからなっている。
【００１３】
前記フレーム３は、合成樹脂（硬質プラスチック）製の剛性前枠６と、該前枠６に着脱自在に嵌着結合された硬質合成樹脂製の柔軟性ある後枠７とから成っている。前枠６はその内側にレンズ２を保持し、左右両端部内側面６Ａには、上下及び左右方向の略中央部に位置して、前記後枠７に干渉せずかつ、対向内方及び上下が開放されたカギ状の引掛係合部８が夫々突設されている。
【００１４】
前記後枠７は、上枠部７Ａと下枠部７Ｂとからなり、夫々の左右両端上下対向面９Ａ，９Ｂと引掛係合部８間にテンプル４の前端装着端部１０の係合部１７を嵌合可能としかつ所要の抵抗を与えるテンプル嵌装間隙１１を設けてある。そして、各上下枠部７Ａ，７Ｂの後面全面にわたって発泡合成樹脂製の顔当パッド１２，１３が接着されている。
【００１５】
また、上枠部７Ａにはレンズ２と顔面間に形成される内部空間内に外気を導入するための吸気口１４が設けられ、該吸気口１４は前記内部空間側（下側）から接着されたスポンジ等の発泡材料からなる発泡シート１５により被覆されている。さらに、下枠部７Ａには、多数の通気孔１６が設けられている。
前記テンプル４は、比較的硬質の合成樹脂製で装着端部１０内面側にフレーム前枠６への方形枠状係合部１７が上下方向の略中央部に位置して突設され、前端が断面円形の縦軸部１８とされており、該係合部１７の縦軸部１８は前記フレーム前枠６の引掛係合部８内に嵌入係合されると共に、縦軸部１８の上下ブラケット片１７Ａ，１７Ｂが、前記フレーム３の前記間隙１１内に嵌合されるようになっている。
【００１６】
なお、縦軸部１８は引掛係合部１８の内面を軸受面として縦軸心回りに回動自在で、このとき、上下ブラケット片１７Ａ，１７Ｂが前記後枠７Ｂの対向対面９Ａ，９Ｂに摺動し、所要の抵抗が付与され、テンプル４が折畳み状態において自然に回動しないようになっている。
また、テンプル４の前後方向中間部は肉厚が薄くされて可撓性及び弾性を有する可撓部１９とされ、該可撓部１９から後端部が左右方向に弯曲可能とされ、装着者の顔面に沿うようにフィット性の向上が図られている。そして、該可撓部１９から前端装着端部１０まで排気用長孔２０が形成され、前記装着端部１０の内面と装着者の顔面との間に形成される空間２１からの排気が、前記長孔２０を通って外部に流出するようにしてある。
【００１７】
さらに、前記テンプル４の後端部には、前後方向に長い滑り止め部材装着用長孔２２が設けられ、該孔２２には、テンプル後端部よりも幅広いしかも後方端からさらに後方に延出された軟質ゴム、軟質プラスチック等からなる滑り止め部材２３が対向内側に前後方向摺動可能に嵌着されている。なお、テンプル４の上下幅は、前端側から順次狭くなり、中間部から後端部までが略同じ幅とされている。
【００１８】
前記テンプル４の滑り止め部材２３の装着用長孔２２は、テンプル４の対向外側が大きい段付長孔２２Ａとされており、滑り止め部材２３の対向外側面には、前記長孔２２に嵌合する嵌合部２４及び段付長孔２２Ａに嵌合しかつ段部に係止される係止部２５が設けられており、長孔２２，２２Ａ内を嵌合部２４及び係止部２５が摺動可能とされ、装着者の頭部の適所に当接し最適にフィットするようになっている。
【００１９】
前記ベルト５は、図１２に示すように、その両端部にコネクタ２６が連結されている。このコネクタ２６は、前記テンプル４の装着端部１０と同形同寸でその対向内側にフレーム前枠６への方形枠状の係合部２７が上下方向の中央部に位置して突設され、前端が断面円形の縦軸部２８とされており、係合部２７の形状寸法は前記テンプル４の係合部１７と同形同寸で、テンプル４と同様にフレーム前枠６の引掛係合部８に引掛けることにより簡単に取付けることができ、かつ取外すことができるようになっている。
【００２０】
したがって、コネクタ２６は、縦軸部２８を中心として左右方向に回動し、かつブラケット片２７Ａ，２７Ｂの外端面が、後枠７Ａ，７Ｂの上下対向面に摺接するので、コネクタ２６が自然に回動することがなく、ゴーグル１の収納時に、ベルトコネクタ２６を対向内方に回動させることにより、コンパクトにコネクタ２６と共にベルトをフレーム３内に納めることができる。
【００２１】
上記実施例によれば、テンプル４又はベルトコネクタ２６の縦軸部１８，２８を、フレーム前枠６の引掛係合部８に引掛けるだけの簡単な操作で、極めて容易にかつ迅速に装着でき、しかも、取外してテンプル４又はベルト５を交換する場合、テンプル４の装着端部１０又はコネクタ２６を、対向内方に引張るだけで、引掛係合部８から縦軸部１８又は２８が容易に外すことができる。したがって、着脱・交換が至極簡単で、しかもフィット性が良好である。
【００２２】
本発明は、上記実施例に限定されるものではなく、例えば、テンプル４の装着端部１０又はベルトコネクタ２６の係合部を、フレーム前枠６側のカギ状引掛係合部８とし、フレーム前枠６の係合部に縦軸部１８，２８を設けることができ、適宜設計変更することができる。
【００２３】
【発明の効果】
本発明は、上述のように、フレームの左右両端部にテンプルが着脱可能に装着されるようになっているゴーグルであって、前記テンプルは前記フレームの両端部内側面に縦軸心回りに回動可能に装着され、かつ対向内方に折畳んだ際にテンプルの装着端部がフレーム両端後面を結ぶ面から内側に位置するようにしたことを特徴とするものであるから、テンプルをコンパクトにフレームの内側に折畳むことができ、テンプルがフレームから突出しないので、ゴーグルの収納が容易で納まりが良く、持運びに便利であり、外観体裁が良好になる。
【００２４】
また本発明は、前記テンプルの前後方向中間部分に弾性を有する可撓部を設けたことを特徴とするものであるから、テンプルを比較的剛性のある材料で製造でき、かつ装着者の頭部へのフィットを大幅に向上させることができ、異和感をなくすことができる。
そして、本発明は、前記テンプルの装着端部対向内側面と顔面との間に排気空間を設けたことを特徴とするものであるから、レンズとフレームにより囲まれた内部空間の空気の排出機能を大幅に向上させ、レンズの曇りを完全に防止できる。
【００２５】
さらに、本発明は、前記テンプルの後端部に柔軟性材料からなる滑り止め部材を、テンプルの前後方向に摺動可能に装着したことを特徴とするものであるから、装着者の頭部の大小、形状に対応して、滑り止め部材を頭部の最適な位置に当接させることができ、フィット性の向上はもとより、テンプルのずれ落ちを防止することができ、折畳んだときに、滑り止め部材がレンズに接当することとなり、レンズに傷をつけるのを防止できる。
【００２６】
また、本発明は、前記フレームは剛性前枠と該前枠に着脱可能に装着される柔軟性後枠とからなり、前記剛性前枠の左右両端部内側面に、柔軟性後枠と干渉せずかつテンプル又はベルトコネクタを縦軸心回りに可動させうる対向内方が開かれたカギ状引掛係合部を設け、テンプル又はベルトコネクタの装着端部に前記係合部に回動可能に引掛けうる縦軸部を設けたことを特徴とするものであるから、テンプル又はベルトコネクタの係合部及びフレーム前枠の引掛係合部の構造を簡単にすることができると共に、テンプル又はベルトコネクタをフレームに対して円滑に回動させることができると共にその着脱交換を容易にかつ迅速に行なうことができる。
【図面の簡単な説明】
【図１】本発明の実施例のテンプル折畳み状態を示す平面図である。
【図２】同実施例のテンプル張出し状態を示す斜視図である。
【図３】同実施例におけるテンプル装着部の内面図である。
【図４】図３のＡ−Ａ線に沿う断面図である。
【図５】同実施例のフレームの引掛係合部を示す内面図である。
【図６】図５の右側面図（フレーム端面図）である。
【図７】同実施例のテンプル正面図である。
【図８】図７の平面図である。
【図９】図７の背面図である。
【図１０】図９の左側面図である。
【図１１】図１０のＢ−Ｂ線に沿う断面図である。
【図１２】同実施例におけるベルトの斜視図である。
【符号の説明】
１      ゴーグル
３      フレーム
４      テンプル
５      ベルト
６      前枠
７      後枠
８      引掛係合部
１０      装着端部
１７      係合部
１８      縦軸部
１９      可撓部
２０      排気孔
２１      排気空間
２３      滑り止め部材
２６      ベルトコネクタ
２７      係合部
２８      縦軸部
【図１】
0003602572.tif 000002
【図２】
0003602572.tif 000003
【図３】
0003602572.tif 000004
【図４】
0003602572.tif 000005
【図５】
0003602572.tif 000006
【図６】
0003602572.tif 000007
【図７】
0003602572.tif 000008
【図８】
0003602572.tif 000009
【図９】
0003602572.tif 000010
【図１０】
0003602572.tif 000011
【図１１】
0003602572.tif 000012
【図１２】
0003602572.tif 000013